(57)【特許請求の範囲】
【請求項１】
曜日情報及び時刻情報を含む時計情報を発生する時計手段と、
複数の定型文情報を、休日と平日における複数種類の生活時間帯に対応させて複数のグループにグループ分けして予め記憶してある定型文情報記憶手段と、
ユーザにより任意の曜日に設定される休日と平日の曜日設定情報、及びユーザにより任意の時間帯に設定される前記複数種類の各生活時間帯の時間帯設定情報を記憶する設定情報記憶手段と、
前記定型文情報記憶手段に記憶された前記定型文情報の呼び出しを指示する指示手段と、
前記指示手段によって呼出しの指示があったときに、前記時計手段から得られる前記時計情報に対応する前記設定情報記憶手段に記憶された前記曜日設定情報及び前記時間帯設定情報に基づいて、前記曜日設定情報及び前記時間帯情報に対応する前記定型文情報のグループを、前記定型文情報記憶手段に記憶されている前記複数のグループから選択して呼び出す制御手段と、
前記制御手段によって呼び出された前記定型文情報のグループを表示する表示手段と、
前記表示手段に表示された前記定型文情報のグループの中から個別の定型文情報をユーザが選択するための選択手段と、
前記選択手段によって選択された前記定型文情報を記録紙に印字する印字手段と、
を備えることを特徴とする印字装置。
【発明の詳細な説明】
【０００１】
【発明の属する技術分野】
本発明は、装置内に予め記憶された多数の定型文の中から任意の定型文を選択して印字する印字装置に関する。
【０００２】
【従来の技術】
従来から、ワードプロセッサでは、その文書入力の手間を極力省くために、多種多様な定型文をジャンル分けして予め記憶しておき、それをジャンル毎に表示画面に呼出し、その中から必要な定型文を選択することで、入力文書の一部あるいは全部として使用することが行われている。
【０００３】
そして、このような定型文は、様々な種類の文書入力場面を想定して数多くの種類の定型文を予め記憶させて用意しておけば、それだけそれぞれの文書入力場面において入力の手間を省くことができることになる。
【０００４】
【発明が解決しようとする課題】
大型の表示画面を備えるワードプロセッサなどの文書処理装置では、その表示画面に多数の定型文を表示することができるため、その中から所望の定型文を選択することは比較的容易であるが、数行の表示スペースしかない小型の表示画面を備えた携帯用の文書印字装置に定型文入力機能を持たせても、予め記憶保持する定型文が３００ないし５００個といった膨大な量になると、それらがジャンル分けされていたとしても、小スペースの表示画面上で必要な定型文を見つけて呼び出すのに時間がかかり、効率のよい定型文入力ができない問題がある。
【０００５】
また、携帯可能な文書印字装置を利用すると、日常生活の種々の時間帯において、その場面に対応してメモ書き程度の簡単な文書を印字出力したい場合がある。従来のワードプロセッサなどの文書処理装置では、日常生活の各場面に応じた適宜な定型文を効率よく選択して入力する機能を備えていなかった。
【０００６】
本発明は、前記のような問題に鑑みなされたもので、たとえ、表示画面が小型であっても、装置内に保持する多数の定型文から必要な定型文を効率よく呼び出して入力の手間を省くことが可能になる印字装置を提供することを目的とする。
【０００７】
また、本発明は、日常生活などの種々の時間帯において、その場面に応じた適宜な定型文を効率よく選択して入力できる機能を有する印字装置を提供することを目的とする。
【０００８】
【課題を解決するための手段】
本発明に係る印刷装置は、曜日情報及び時刻情報を含む時計情報を発生する時計手段と、複数の定型文情報を、休日と平日における複数種類の生活時間帯に対応させて複数のグループにグループ分けして予め記憶してある定型文情報記憶手段と、ユーザにより任意の曜日に設定される休日と平日の曜日設定情報、及びユーザにより任意の時間帯に設定される前記複数種類の各生活時間帯の時間帯設定情報を記憶する設定情報記憶手段と、前記定型文情報記憶手段に記憶された前記定型文情報の呼び出しを指示する指示手段と、前記指示手段によって呼出しの指示があったときに、前記時計手段から得られる前記時計情報に対応する前記設定情報記憶手段に記憶された前記曜日設定情報及び前記時間帯設定情報に基づいて、前記曜日設定情報及び前記時間帯情報に対応する前記定型文情報のグループを、前記定型文情報記憶手段に記憶されている前記複数のグループから選択して呼び出す制御手段と、前記制御手段によって呼び出された前記定型文情報のグループを表示する表示手段と、前記表示手段に表示された前記定型文情報のグループの中から個別の定型文情報をユーザが選択するための選択手段と、前記選択手段によって選択された前記定型文情報を記録紙に印字する印字手段とを備えることを特徴とする。
【００１０】
このような本発明に係る印字装置では、複数にグループ分けされて定型文情報記憶手段に記憶された定型文情報の呼び出しが指示されると、時計情報に対応させて前記定型文情報の各グループを選択するために設定情報記憶手段に設定された情報に基づいて、現在の時計情報に対応する定型文情報のグループが前記定型文情報記憶手段から選択されて呼び出し表示され、この表示されたグループの定型文情報の中から個別の定型文情報がユーザにより選択されると、この選択された定型文情報が記録紙に印字されるので、現在の時計情報に関連した定型文情報のグループのみを呼び出して表示させることができ、その中から必要な定型文を効率よく選択して印字することができる。
【００１４】
【発明の実施の形態】
本発明の実施の形態に係る印字装置は携帯性に優れた小型形状に形成されており、そのデータ入力機能は小型形状のために簡略化され専ら装置内に保持された定型文を選択入力するように構成されている。また、装置内部には選択された定型文をロール紙に印字する小型の印字機構が組み込まれている。
【００１５】
以下、図面を参照して本発明の実施の形態について説明する。
【００１６】
図１は本発明に係る印字装置の外観構成を示す斜視図である。
【００１７】
図２は前記印字装置の内部機構を示す背面図である。
【００１８】
図１に図示するように、印字装置１０の本体ケース１１の正面には、電源のＯＮ／ＯＦＦを行う電源キー１２ａ、時計設定，休日・時刻帯設定，モード設定を行うための設定メニュー画面の呼び出しを行う設定キー１２ｂ、時刻設定などを行うためのテンキー１２ｃ、表示画面上でのカーソルを上下方向に移動させてデータの選択を行うためのカーソルキー１２ｄ、定型文の印刷を指示する印刷キー１２ｅ、各種設定データの確定や処理の実行を指示する実行キー１２ｆなどの必要なキーを備えるキー入力部１２と、装置内から呼び出された定型文や印字処理に必要なメッセージなどの表示を行う表示部１３が設けられ、本体ケース１１の側面には、印字されたロール紙が排出される排紙口１４が設けられる。
【００１９】
図２は本体ケース１１の背面に設けられるカバーを取り外した状態を示すものであり、本体ケース１１の上半部の内部には、ロール紙１を収容するホルダー１５及びロール紙１に印字を行う印字機構１６が設けられ、本体ケース１１の下半部の内部には、図示しない装置の駆動電池や電子回路が収容されている。
【００２０】
前記ホルダー１５は、本体ケース１１の背面側に開口部を有する器状に形成されており、ホルダー１５の支持軸１７に紙管２が回転自在に挿入されてロール紙１が装着される。
【００２１】
また、前記印字機構１６は、サーマルヘッド１８、プラテンローラ１９、ステップモータ２０、及びステップモータ２０の駆動をプラテンローラ１９に伝達する駆動伝達機構２１などにより構成される。
【００２２】
サーマルヘッド１８は、ヘッド支持部２２に支持され、ヘッド支持部２２には操作レバー２３が連設される。操作レバー２３は、本体ケース１１に取付けられた支持フレーム２４に軸支され、支持フレーム２４とヘッド支持部２２の間には、サーマルヘッド１８を常にプラテンローラ１９に加圧する加圧バネ２５が配設されている。ロール紙１の交換時などに前記操作レバー２３の操作によりサーマルヘッド１８をプラテンローラ１９から開離させてサーマルヘッド１８とプラテンローラ１９の間にロール紙１をセットする。
【００２３】
また、ロール紙１の搬送路には、ロール紙１に印されたマークを読み取る反射型の光センサ２６が配設され、搬送路の端部の排紙口１４には、カッタ２７が配設されている。なお、カッタ２７は、排紙口１４の縁部に固定して設けられるが、このカッタ２７は、単に排紙口１４の縁部を断面鋭角にしたものであってもよい。
【００２４】
図３は前記印字装置の印字媒体として使用されるロール紙１を示す図である。
【００２５】
図４は前記ロール紙１の断面図である。
【００２６】
ロール紙１は、裏面に接着剤（接着層）５が塗布された感熱紙（感熱記録層）３を剥離処理面を有する剥離紙（剥離層）４と積層して紙管２に巻装したものである。
【００２７】
このロール紙１には、その長手方向に沿って所定の等しい間隔で、その幅方向に切込みが破線状に形成される切断用のミシン線６（破線状の切込み）が形成されている。このミシン線６は、感熱紙３及び剥離紙４を含んでロール紙１の厚さ方向に貫通して形成されている。このロール紙１では、ミシン線６で切断し、ミシン線６で区切られた領域を１枚のシールラベルあるいは付箋紙として使用することを予定している。
【００２８】
また、剥離紙４は、ロール紙１の長手方向に沿って所定の等しい間隔で切断されている。すなわち、所定の長さに分割されて感熱紙３に積層されている。符号７は剥離紙４の切断線を示し、この切断線７は前記ミシン線６で区切られた剥離紙４の各領域内にロール紙１の幅方向に形成される。この切断線７は、前記ミシン線６のような破線状の切込みではなく、ロール紙１の幅方向に連続する切込みであり剥離紙４にのみ形成される。
【００２９】
また、ロール紙１の裏面、すなわち剥離紙４の対接着剤剥離処理面と反対面には、感熱紙３上での印字位置を定めるためのマーク８が印字されている。このマーク８は前記ミシン線５で区切られた領域毎に設けられる。なお、マーク８と切断線７とは一定の距離関係にある。
【００３０】
前記ロール紙１には、前記印字装置１０の排紙口１４に配設されたカッタ２７を用いて容易に切断できるように切断用のミシン線６が形成されているため、前記印字装置１０は印字の後にミシン線６の位置がカッタ２７の位置に合うようにロール紙１を搬送する。そして、装置外に排出されたロール紙１の先端を持って図１で排紙口１４の上方に引けばミシン線６がカッタ２７に当たってその部分で切断される。
【００３１】
前記印字装置１０では、前記ロール紙１のミシン線６で区切られた領域単位でラベル乃至付箋紙を作成する。そして、ミシン線６毎に区分されて作成されたラベルなどでは感熱紙３の裏面の剥離紙４を剥がして対象物に貼り付ける。剥離紙４には切断線７が形成されているので剥離作業が容易に行えて便利である。剥離紙４は全部を剥がしてラベル裏面の接着面を全部露出させて全面で貼り付けてもよいが、切断線７により剥離紙４は２枚の剥離紙片に分割されているので、そのうちの一方のみを剥がし他方は残して部分的に露出した接着面を使って対象物に貼り付けてもよく、この場合には、付箋紙のような使い方ができる。
【００３２】
図５は前記印字装置の電子回路の構成を示すブロック図である。
【００３３】
制御部３０は、キー入力部１２からのキー操作信号に応じてＲＯＭ３１に予め記憶されているシステムプログラムを起動させ、回路各部の動作制御を行なう。
【００３４】
この制御部３０には、印字装置の印字処理に関する各種データを記憶するＲＡＭ３２、表示用のフォントのパターンデータを発生する表示用キャラクタジェネレータ３３、印字用のフォントのパターンデータを発生する印字用キャラクタジェネレータ３４、入力された文書のデータや印字処理に必要なデータを表示する表示部１３が接続されるとともに、プリンタ部３５、そして現在の時刻を計時する時計回路３８が接続される。
【００３５】
プリンタ部３５には、サーマルヘッド１８及びその駆動回路３６が設けられ、またプラテンローラ１９を回転駆動するステップモータ２０及びその駆動回路３７が設けられる。また、制御部３０には、ロール紙１のマーク７を検出するための光センサ２６からの検出信号が出力される。
【００３６】
前記ＲＯＭ３１には、この印字装置の制御動作を司るシステムプログラムデータが予め記憶されるプログラムメモリや各種設定画面の表示データメモリが備えられる他に、定型文メモリ３１ａが備えられる。
【００３７】
図６は前記印字装置のＲＯＭ３１に備えられた定型文メモリ３１ａにおける定型文情報の記憶状態を示す図である。
【００３８】
この定型文メモリ３１ａには、平日の就労時間帯に対応して使用可能性の高い第１グループの定型文と、平日の自由時間帯に対応して使用可能性の高い第２グループの定型文と、休日の家庭サービス時間帯に対応して使用可能性の高い第３グループの定型文と、休日の自由時間帯に対応して使用可能性の高い第４グループの定型文とが、それぞれの定型文グループを個別に呼び出すための識別情報“０”“１”“２”“３”に対応付けられて記憶される。
【００３９】
前記ＲＡＭ３２には、キー入力されたデータを格納する入力バッファ、表示部１３に表示する表示データを格納する表示バッファ、印字データを格納する印字バッファが設けられる他、前記ＲＯＭ３１内の定型文メモリ３１ａに記憶されている第１乃至第４グループの定型文を現在の時計情報に基づいて自動的に指定して呼び出す時計対応呼び出しモードと第１乃至第４グループの定型文をそれぞれマニュアルで個別に指定して呼び出す第１グループ直接指定呼び出しモード，第２グループ直接指定呼び出しモード，第３グループ直接指定呼び出しモード，第４グループ直接指定呼び出しモードの５つの呼び出しモードのモードフラグＭ（＝０，１，２，３，４）を記憶するモードフラグメモリ３２ａ、時計回路３８により得られる計時データに基づいて現在の曜日を含むカレンダデータと時刻データを記憶する現在時間情報メモリ３２ｂ、ユーザにより任意に設定される休日／平日の曜日の設定情報及びその家庭サービス時間帯や就労時間帯，自由時間帯などの時間帯の設定情報を記憶する設定日時情報メモリ３２ｃ等が設けられる。
【００４０】
次に、前記構成による印字装置の動作について説明する。
【００４１】
図７は前記印字装置により休日／平日の曜日の設定及びその家庭サービス時間帯や就労時間帯，自由時間帯などの時間帯の設定を行うための印刷前入力設定処理を示すフローチャートである。
【００４２】
図８は前記印字装置の設定キーの操作に伴い表示される設定メニュー画面Ｇ１を示す図である。
【００４３】
図９は前記印字装置の休日・時刻帯設定に伴う設定画面の表示状態を示す図であり、同図（Ａ）はその休日設定画面Ｇ２を示す図、同図（Ｃ）はその平日の就労時間設定画面Ｇ３を示す図である。
【００４４】
キー入力部１２の設定キー１２ｂが操作されると、図８に示すように、現在のカレンダ日付と時刻の設定を行うための時計設定、又は休日／平日の曜日設定やその時間帯の設定を行うための休日・時刻帯設定、又は前記時間対応呼び出しモード（Ｍ＝０）及び第１グループ直接指定呼び出しモード（Ｍ＝１）から第４グループ直接指定呼び出しモード（Ｍ＝４）の５つの呼び出しモードのモード設定のうちの何れかの設定操作を行うための設定メニュー画面Ｇ１が表示部１３に表示される。
【００４５】
この設定メニュー画面Ｇ１において、時計設定の設定操作が選択された場合には、時計回路３８から得られる計時データに従って計時処理されてＲＡＭ３２内の現在時間情報メモリ３２ｂに記憶されている現在の年月日，曜日と時刻データが読み出され、表示部１３に表示されると共に、この表示された年月日，曜日と時刻の各数値データがテンキー１２ｃの操作に応じて修正設定され、現在時間情報メモリ３２ｂの内容が書き換えられる。
【００４６】
また、前記設定メニュー画面Ｇ１において、モード設定の設定操作が選択された場合には、ＲＡＭ３２内のモードフラグメモリ３２ａに記憶されているモードフラグＭが読み出され、そのモードフラグＭが“０”〜“４”の何れかであるかに応じて現在設定中の呼び出しモードが表示されると共に、この設定中の呼び出しモードがカーソルキー１２ｄの操作に応じて任意の呼び出しモードに切り換えられて設定され、モードフラグメモリ３２ａ内のモードフラグＭが書き換えられる。
【００４７】
さらに、前記設定メニュー画面Ｇ１において、休日・時刻帯設定の設定操作が選択された場合には、図７における印刷前入力設定処理が起動され、まず、図９（Ａ）に示すように、休日の曜日を設定するための休日曜日設定画面Ｇ２が表示される（ステップＳ１）。
【００４８】
この休日曜日設定画面Ｇ２において、カーソルキー１２ｄを操作してユーザが休日である曜日を選択すると共に実行キー１２ｆを操作すると、この選択された休日の曜日はＲＡＭ３２内の設定日時情報メモリ３２ｃに記憶設定され（ステップＳ１）、代わって、図９（Ｂ）に示すように、平日における就労時間帯を設定するための平日就労時間設定画面Ｇ３が表示される（ステップＳ２）。
【００４９】
この平日就労時間設定画面Ｇ３において、カーソルキー１２ｄを操作して「開始時刻」「終了時刻」の入力項目を順次選択するのに伴い、テンキー１２ｃを操作してそれぞれユーザの平日における就労開始時刻及び終了時刻を入力して実行キー１２ｆを操作すると、この入力された平日の就労開始時刻及び終了時刻は前記ＲＡＭ３２内の設定日時情報メモリ３２ｃに記憶設定され（ステップＳ２）。
【００５０】
するとこの次には、図示はしないが、平日の自由時間帯を設定するための平日自由時間設定画面が表示されてユーザの平日の自由時間帯が設定され（ステップＳ３）、さらに、休日の家庭サービス時間帯を設定するための家庭サービス時間設定画面が表示されてユーザの休日における家庭サービス時間帯が設定され（ステップＳ４）、さらに、休日の自由時間帯を設定するための休日自由時間設定画面が表示されてユーザの休日の自由時間帯が設定され（ステップＳ５）、それぞれの設定データが前記同様にＲＡＭ３２内の設定日時情報メモリ３２ｃに記憶されて設定される。
【００５１】
すなわち、この休日・時刻帯設定のための印刷前入力設定処理では、例えば休日は土・日、平日の就労時間は午前８時から午後７時まで、同自由時間は午後７から午後１１時まで、あるいは該就労時間以外の時刻帯、休日の家庭サービス・タイムは午前８時から午前１１まで、同自由時間は午後１時から午後１１迄などとして任意に設定されて設定日時情報メモリ３２ｃに記憶される。
【００５２】
図１０は前記印字装置による定型文の入力・印字処理を示すフローチャートである。
【００５３】
ＲＯＭ３１内の定型文メモリ３１ａに記憶されている多数の定型文の中から所望の定型文を選択入力することで文書入力の手間を省いた定型文印字を行うために、キー入力部１２の印刷キー１２ｅが操作されると、図１０における定型文の入力・印字処理が起動され、ＲＡＭ３２内のモードフラグメモリ３２ａ内に設定されているモードフラグＭ（＝０）か否か、つまり、時間対応呼び出しモードであるか直接指定呼び出しモードであるか判断される（ステップＡ１）。
【００５４】
ここで、モードフラグメモリ３２ａ内に設定されているモードフラグＭ（＝０）で時間対応呼び出しモードであると判断された場合には、同ＲＡＭ３２内の現在時間情報メモリ３２ｂに記憶されている現在の年月日，曜日（カレンダ）と時刻が読み出され（ステップＡ１→Ａ２）、その当日の曜日が設定日時情報メモリ３２ｃに記憶設定されたユーザの休日の曜日であるか又は平日の曜日であるか判断される（ステップＡ３）。
【００５５】
ここで、例えば現在の曜日・時刻が木曜日の午後３時であり、前記設定日時情報メモリ３２ｃに記憶されている休日・時刻帯の各設定情報に基づき、ユーザにとって平日の就労時間内にあると判断されると、定型文メモリ３１ａ（図６参照）に記憶されている多数の定型文の中から識別情報“０”に対応付けられた就労時刻帯に適した第１グループの定型文が呼び出され（ステップＡ３→Ａ４→Ａ６）、図１１に示すように、第１グループ呼び出し選択画面Ｇ４として表示部１３に表示される（ステップＡ９）。
【００５６】
図１１は前記印字装置の定型文入力・印字処理に伴う平日就労時間帯での定型文第１グループの呼び出し選択画面Ｇ４を示す図である。
【００５７】
図１２は前記印字装置の定型文入力・印字処理に伴う定型文の印字出力状態を示す図であり、同図（Ａ）は平日就労時間帯に定型文第１グループから選択入力された定型文の印字出力状態を示す図、同図（Ｂ）は休日自由時間帯に定型文第４グループから選択入力された定型文の印字出力状態を示す図である。
【００５８】
図１１で示した、定型文第１グループの呼び出し選択画面Ｇ４において、カーソルキー１２ｄを操作して所望の定型文「ＦＡＸ送信済み」を選択し、実行キー１２ｆを操作すると、選択された定型文の文字コードが印字用キャラクタジェネレータ３４により発生される印字用のフォントパターンに変換されてＲＡＭ３２内の印字バッファに格納され、プリンタ部３５により、図１２（Ａ）に示すように、ロール紙１に印字出力される（ステップＡ１０→Ａ１１）。
【００５９】
すなわち、プリンタ部３５におけるステップモータ２０の駆動によるプラテンローラ１９の回転により、１ドットラインの幅ずつ搬送されるロール紙１に対して、印字バッファに格納された定型文の印字データが１ライン印字データずつ熱転写出力されることで、当該選択入力された定型文のロール紙印字が行われる。
【００６０】
この際、前記現在時間情報メモリ３２ｂから読み出された現在の年月日，曜日（カレンダ）と時刻も、定型文と共に印字出力される。
【００６１】
一方、例えば現在の曜日・時刻が月曜日〜金曜日の午後７時〜午後１１時にあり、前記設定日時情報メモリ３２ｃに記憶されている休日・時刻帯の各設定情報に基づき、ユーザにとって平日の自由時間内にあると判断された場合には、定型文メモリ３１ａ（図６参照）に記憶されている多数の定型文の中から識別情報“１”に対応付けられた平日の自由時刻帯に適した第２グループの定型文が呼び出され（ステップＡ３→Ａ４→Ａ５→Ａ７）、前記同様に第２グループ呼び出し選択画面として表示部１３に表示される（ステップＡ９）。そして、この第２グループ呼び出し選択画面において所望の定型文を選択して実行キー１２ｆを操作することで、当該選択入力された定型文のロール紙印字が行われる（ステップＡ１０→Ａ１１）。
【００６２】
また、例えば現在の曜日・時刻が月曜日〜金曜日の午後１１時〜午前８時にあり、前記設定日時情報メモリ３２ｃに記憶されている休日・時刻帯の各設定情報に基づき、ユーザにとって平日の就労時間外で且つ自由時間外にあると判断された場合には、定型文メモリ３１ａ（図６参照）に記憶されている多数の定型文の中から識別情報“０”及び“１”に対応付けられた平日の就労時刻帯及び自由時刻帯にそれぞれ適した第１及び第２グループの定型文が呼び出され（ステップＡ３→Ａ４→Ａ５→Ａ８）、第１，第２グループ呼び出し選択画面として表示部１３に表示される（ステップＡ９）。そして、この第１，第２グループ呼び出し選択画面において所望の定型文を選択して実行キー１２ｆを操作することで、当該選択入力された定型文のロール紙印字が行われる（ステップＡ１０→Ａ１１）。
【００６３】
また、例えば現在の曜日・時刻が土曜日又は日曜日の午前８時〜午前１１時にあり、前記設定日時情報メモリ３２ｃに記憶されている休日・時刻帯の各設定情報に基づき、ユーザにとって休日の家庭サービス時間内にあると判断された場合には、定型文メモリ３１ａ（図６参照）に記憶されている多数の定型文の中から識別情報“２”に対応付けられた休日の家庭サービス時刻帯に適した第３グループの定型文が呼び出され（ステップＡ３→Ａ１２→Ａ１４）、前記同様に第３グループ呼び出し選択画面として表示部１３に表示される（ステップＡ９）。そして、この第３グループ呼び出し選択画面においても、所望の定型文を選択して実行キー１２ｆを操作することで、当該選択入力された定型文のロール紙印字が行われる（ステップＡ１０→Ａ１１）。
【００６４】
また、例えば現在の曜日・時刻が日曜日の午後２時であり、前記設定日時情報メモリ３２ｃに記憶されている休日・時刻帯の各設定情報に基づき、ユーザにとって休日の自由時間内にあると判断されると、定型文メモリ３１ａ（図６参照）に記憶されている多数の定型文の中から識別情報“３”に対応付けられた休日の自由時刻帯に適した第４グループの定型文が呼び出され（ステップＡ３→Ａ１２→Ａ１３→Ａ１５）、前記同様に第４グループ呼び出し選択画面として表示部１３に表示される（ステップＡ９）。
【００６５】
この定型文第４グループの呼び出し選択画面において、カーソルキー１２ｄを操作して所望の定型文「出かけます」を選択し、実行キー１２ｆを操作すると、選択された定型文の文字コードが印字用キャラクタジェネレータ３４により発生される印字用のフォントパターンに変換されてＲＡＭ３２内の印字バッファに格納され、プリンタ部３５により、図１２（Ｂ）に示すように、ロール紙１に印字出力される（ステップＡ１０→Ａ１１）。
【００６６】
さらに、例えば現在の曜日・時刻が土曜日又は日曜日の午前１１時〜午後１時又は午後１１時〜午前８時にあり、前記設定日時情報メモリ３２ｃに記憶されている休日・時刻帯の各設定情報に基づき、ユーザにとって休日の家庭サービス時間外で且つ自由時間外にあると判断された場合には、定型文メモリ３１ａ（図６参照）に記憶されている多数の定型文の中から識別情報“２”及び“３”に対応付けられた休日の家庭サービス時刻帯及び自由時刻帯にそれぞれ適した第３及び第４グループの定型文が呼び出され（ステップＡ３→Ａ１２→Ａ１３→Ａ１６）、第３，第４グループ呼び出し選択画面として表示部１３に表示される（ステップＡ９）。そして、この第３，第４グループ呼び出し選択画面において所望の定型文を選択して実行キー１２ｆを操作することで、当該選択入力された定型文のロール紙印字が行われる（ステップＡ１０→Ａ１１）。
【００６７】
一方、ＲＡＭ３２内のモードフラグメモリ３２ａ内に設定されているモードフラグＭ（＝１）で、第１グループ直接指定呼び出しモードであると判断された場合には、前記現在時間情報メモリ３２ｂに記憶されている現在の年月日，曜日（カレンダ）と時刻に関係なく、定型文メモリ３１ａ（図６参照）に記憶されている多数の定型文の中から識別情報“０”に対応付けられた就労時刻帯に適した第１グループの定型文が直接指定されて呼び出され（ステップＡ１→Ａ１７→Ａ６）、前記図１１で示した場合と同様に、第１グループ呼び出し選択画面Ｇ４として表示部１３に表示される（ステップＡ９）。
【００６８】
また、同様にモードフラグメモリ３２ａ内に設定されているモードフラグＭ（＝２）で、第２グループ直接指定呼び出しモードであると判断された場合にも、現在の年月日，曜日（カレンダ）と時刻に関係なく、定型文メモリ３１ａ（図６参照）に記憶されている多数の定型文の中から識別情報“１”に対応付けられた平日の自由時刻帯に適した第２グループの定型文が直接指定されて呼び出され（ステップＡ１→Ａ１８→Ａ７）、第２グループ呼び出し選択画面として表示部１３に表示される（ステップＡ９）。
【００６９】
また、同様にモードフラグＭ（＝３）で、第３グループ直接指定呼び出しモードであると判断された場合にも、現在の年月日，曜日（カレンダ）と時刻に関係なく、定型文メモリ３１ａ（図６参照）に記憶されている多数の定型文の中から識別情報“２”に対応付けられた休日の家庭サービス時刻帯に適した第３グループの定型文が直接指定されて呼び出され（ステップＡ１→Ａ１９→Ａ１４）、第３グループ呼び出し選択画面として表示部１３に表示される（ステップＡ９）。
【００７０】
さらに同様に、モードフラグＭ（＝４）で、第４グループ直接指定呼び出しモードであると判断された場合にも、現在の年月日，曜日（カレンダ）と時刻に関係なく、定型文メモリ３１ａ（図６参照）に記憶されている多数の定型文の中から識別情報“３”に対応付けられた休日の自由時刻帯に適した第４グループの定型文が直接指定されて呼び出され（ステップＡ１→Ａ１９→Ａ１５）、第４グループ呼び出し選択画面として表示部１３に表示される（ステップＡ９）。
【００７１】
これらモードフラグＭ＝１〜４までのグループ直接呼び出しモードにより各対応するグループの定型文が直接呼び出されて選択画面として表示された場合でも、前記同様に所望の定型文を選択して実行キー１２ｆを操作することで、当該選択入力された定型文が印字データに変換されてロール紙印字される（ステップＡ１０→Ａ１１）。
【００７２】
したがって、前記構成の印字装置における定型文の呼び出し印字機能によれば、定型文メモリ３１ａにおいて多数の定型文を、例えば平日の就労時間帯と自由時間帯、そして休日の家庭サービス時間帯と自由時間帯とのそれぞれにおいて使用頻度が高いと予想される定型文にグループ分けして記憶するのと共に、ユーザ自身の休日／平日の曜日及びその就労時間帯や自由時間帯の設定を設定日時情報メモリ３２ｃに行っておき、印刷キー１２ｅの操作により定型文の入力・印字が指示されると、現在時間情報メモリ３２ｂに記憶されている現在の年月日，曜日（カレンダ）と時刻に応じたユーザ設定の曜日・時間帯が判断されて対応するグループの定型文が呼び出されて表示部１３に表示され、カーソルキー１２ｄ及び実行キー１２ｆの操作により所望の定型文を選択入力することで、当該選択された定型文が印字データとしてプリンタ部３５に出力されてロール紙１に印字されるので、例えば３００文〜５００文といった膨大な量の定型文が記憶されて用意されている場合でも、休日や平日、更にその中の活動時間帯に応じて必要な定型文を効率よく呼び出して速やかに印字することができ、文書入力の手間を大幅に省くことができる。
【００７３】
なお、前記実施形態では、定型文メモリ３１ａはＲＯＭ３１内に予め設ける構成としたが、ＲＡＭ３２内に設けることでユーザが適宜新たな定型文を追加登録できる構成としてもよい。
【００７４】
【発明の効果】
以上のように、本発明に係る印字装置によれば、複数にグループ分けされて定型文情報記憶手段に記憶された定型文情報の呼び出しが指示されると、時計情報に対応させて前記定型文情報の各グループを選択するために設定情報記憶手段に設定された情報に基づいて、現在の時計情報に対応する定型文情報のグループが前記定型文情報記憶手段から選択されて呼び出し表示され、この表示されたグループの定型文情報の中から個別の定型文情報が選択されると、この選択された定型文情報が記録紙に印字されるので、現在の時計情報に関連した定型文情報のグループのみを呼び出して表示させることができ、その中から必要な定型文を効率よく選択して印字することができる。
【図面の簡単な説明】
【図１】本発明に係る印字装置の外観構成を示す斜視図。
【図２】前記印字装置の内部機構を示す背面図。
【図３】前記印字装置の印字媒体として使用されるロール紙を示す図。
【図４】前記ロール紙の断面図。
【図５】前記印字装置の電子回路の構成を示すブロック図。
【図６】前記印字装置のＲＯＭに備えられた定型文メモリにおける定型文情報の記憶状態を示す図。
【図７】前記印字装置により休日／平日の曜日の設定及びその家庭サービス時間帯や就労時間帯，自由時間帯などの時間帯の設定を行うための印刷前入力設定処理を示すフローチャート。
【図８】前記印字装置の設定キーの操作に伴い表示される設定メニュー画面Ｇ１を示す図。
【図９】前記印字装置の休日・時刻帯設定に伴う設定画面の表示状態を示す図であり、同図（Ａ）はその休日設定画面Ｇ２を示す図、同図（Ｃ）はその平日の就労時間設定画面Ｇ３を示す図。
【図１０】前記印字装置による定型文の入力・印字処理を示すフローチャート。
【図１１】前記印字装置の定型文入力・印字処理に伴う平日就労時間帯での定型文第１グループの呼び出し選択画面Ｇ４を示す図。
【図１２】前記印字装置の定型文入力・印字処理に伴う定型文の印字出力状態を示す図であり、同図（Ａ）は平日就労時間帯に定型文第１グループから選択入力された定型文の印字出力状態を示す図、同図（Ｂ）は休日自由時間帯に定型文第４グループから選択入力された定型文の印字出力状態を示す図。
【符号の説明】
１  …ロール紙
２  …紙管
３  …感熱紙（感熱記録層）
４  …剥離紙（剥離層）
５  …接着剤（接着層）
６  …ミシン線
７  …切断線
８  …マーク
１０  …印字装置
１１  …本体ケース
１２  …キー入力部
１２ａ…電源キー
１２ｂ…設定キー
１２ｃ…テンキー
１２ｄ…カーソルキー
１２ｅ…印刷キー
１２ｆ…実行キー
１３  …表示部
１４  …排紙口
１５  …ホルダー
１６  …印字機構
１７  …支持軸
１８  …サーマルヘッド
１９  …プラテンローラ
２０  …ステップモータ
２１  …駆動伝達機構
２２  …ヘッド支持部材
２３  …操作レバー
２４  …支持フレーム
２５  …加圧バネ
２６  …光センサ
２７  …カッタ
３０  …制御部
３１  …ＲＯＭ
３１ａ…定型文メモリ
３２  …ＲＡＭ
３２ａ…モードフラグメモリ
３２ｂ…現在時間情報メモリ
３２ｃ…設定日時情報メモリ
３３  …表示用キャラクタジェネレータ
３４  …印字用キャラクタジェネレータ
３５  …プリンタ部
３６  …ヘッド駆動回路
３７  …モータ駆動回路
３８  …時計回路
Ｇ１  …設定メニュー画面
Ｇ２  …休日設定画面
Ｇ３  …平日就労時間設定画面
Ｇ４  …第１グループ呼び出し選択画面
【図１】
0003770042.tif 000002
【図２】
0003770042.tif 000003
【図３】
0003770042.tif 000004
【図４】
0003770042.tif 000005
【図５】
0003770042.tif 000006
【図６】
0003770042.tif 000007
【図７】
0003770042.tif 000008
【図８】
0003770042.tif 000009
【図９】
0003770042.tif 000010
【図１０】
0003770042.tif 000011
【図１１】
0003770042.tif 000012
【図１２】
0003770042.tif 000013